(57)【特許請求の範囲】
【請求項１】
入力されたパスワードを認識不可能な状態でパスワード表示領域に表示する表示手段を備えた認証装置であって、
該表示手段の表示面に配置され、前記パスワード表示領域の周囲領域が押されたことを検出するタッチパネルと、
前記パスワード表示領域に沿って前記周囲領域が押されている間、前記パスワード表示領域に表示されている前記パスワードの表示状態を認識不可能な状態から認識可能な状態に変える制御手段とを備え、
前記制御手段は、
前記入力されたパスワードを確定する確定操作が行われると、前記入力されたパスワードと予め記憶されたパスワードとを照合し、一致しなかった場合に、所定時間前記入力されたパスワードを認識不可能な状態で前記パスワード表示領域に表示させたままにする
ことを特徴とする認証装置。
【請求項２】
前記制御手段は、
前記パスワード表示領域の上辺と該上辺に隣り合う辺に沿って前記周囲領域が押されている間、前記パスワード表示領域に表示されている前記パスワードの表示状態を認識不可能な状態から認識可能な状態に変える
ことを特徴とする請求項１に記載の認証装置。
【請求項３】
前記制御手段は、
前記パスワード表示領域の対向する２辺に沿って前記周囲領域が押されている間、前記パスワード表示領域に表示されている前記パスワードの表示状態を認識不可能な状態から認識可能な状態に変える
ことを特徴とする請求項１又は２に記載の認証装置。
【請求項４】
操作者が離れたことを検出する人感センサーを備え、
前記制御手段は、
前記操作者が離れていなければ、所定時間前記入力されたパスワードを認識不可能な状態で前記パスワード表示領域に表示させたままにする
ことを特徴とする請求項１に記載の認証装置。
【発明の詳細な説明】
【技術分野】
【０００１】
本発明は、入力されたパスワードを認識不可能に表示する認証装置に関する。
【背景技術】
【０００２】
従来、パスワード認証の際には、機密保護の観点から、入力されたパスワードをそのままな状態で表示するものがある。
【０００３】
一方で、パスワードが認識不可能に表示されると、ユーザーが実際にパスワードとして何を入力したのか確認できないため、入力ミスなどに気付くことができない。そのため、入力されたパスワードを認識不可能に表示する場合において、パスワードの入力ミスに気付きやすくする技術が提案されている。
【０００４】
例えば、連続して同じキーが入力された場合と、前のキーと異なるキーが入力された場合とで、パスワードをそれぞれ異なる記号で表示する技術が提案されている（例えば、特許文献１を参照）。また、画像形成装置の操作部を介してパスワードが入力されると、画像形成装置には記号で隠された状態のパスワードを表示し、ユーザーが所有する携帯端末には記号で隠されていないパスワードそのものを表示する技術が提案されている（例えば、特許文献２を参照）。
【先行技術文献】
【特許文献】
【０００５】
【特許文献１】特開2009-205471号公報
【特許文献２】特開2009-044349号公報
【発明の概要】
【発明が解決しようとする課題】
【０００６】
しかしながら、特許文献１の技術では、入力されたパスワードそのものを表示することができなかった。また、特許文献２の技術では、携帯端末を用意しなければならず、また、携帯端末に表示されたパスワードを他人に盗み見られる虞があって機密性が十分に確保されていなかった。そのため、入力されたパスワードが認識不可能な状態で表示されている場合に、ユーザーの操作に応じて、機密性を保って認識可能な状態で表示することができる技術が求められていた。
【０００７】
本発明は上記課題に鑑みてなされたものであり、上記課題を解決することができる技術を提供することを目的とする。
【課題を解決するための手段】
【０００８】
本発明の認証装置は、入力されたパスワードを認識不可能な状態でパスワード表示領域に表示する表示手段を備えた認証装置であって、該表示手段の表示面に配置され、前記パスワード表示領域の周囲領域が押されたことを検出するタッチパネルと、前記パスワード表示領域に沿って前記周囲領域が押されている間、前記パスワード表示領域に表示されている前記パスワードの表示状態を認識不可能な状態から認識可能な状態に変える制御手段とを備え、前記制御手段は、前記入力されたパスワードを確定する確定操作が行われると、前記入力されたパスワードと予め記憶されたパスワードとを照合し、一致しなかった場合に、所定時間前記入力されたパスワードを認識不可能な状態で前記パスワード表示領域に表示させたままにすることを特徴とする。
また、前記制御手段は、前記パスワード表示領域の上辺と該上辺に隣り合う辺に沿って前記周囲領域が押されている間、前記パスワード表示領域に表示されている前記パスワードの表示状態を認識不可能な状態から認識可能な状態に変えてもよい。
また、前記制御手段は、前記パスワード表示領域の対向する２辺に沿って前記周囲領域が押されている間、前記パスワード表示領域に表示されている前記パスワードの表示状態を認識不可能な状態から認識可能な状態に変えてもよい。
また、操作者が離れたことを検出する人感センサーを備え、前記制御手段は、前記操作者が離れていなければ、所定時間前記入力されたパスワードを認識不可能な状態で前記パスワード表示領域に表示させたままにしてもよい。
【発明の効果】
【０００９】
本発明によれば、入力されたパスワードが認識不可能な状態で表示されている場合に、ユーザーの操作に応じて、機密性を保って認識可能な状態で表示することができる技術を提供できる。
【図面の簡単な説明】
【００１０】
【図１】本発明に係る画像形成装置の断面模式図である。
【図２】図１に示す画像形成装置の概略構成を示すブロック図である。
【図３】図１に示す操作部に表示されるログイン画面例である。
【図４】図３に示すログイン画面のＰＷ周囲領域を表す図である。
【図５】図２に示す画像形成装置のログイン処理の流れを示すフローチャートである。
【図６】入力されたＰＷを表示させる様子を示すイメージ図である。
【図７】入力されたＰＷを表示させるための他の押圧形態を示すイメージ図である。
【発明を実施するための形態】
【００１１】
次に、本発明の実施の形態を、図面を参照して具体的に説明する。
本発明の実施の形態の画像形成装置１００は、複写機能、印刷機能、スキャナー機能等を有する複合機であり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。
【００１２】
画像形成装置１００の手前側には、画像形成装置１００の設定や動作指示を行う操作部５が配設されている。操作部５は、操作パネル５１、操作ボタン５２が設けられている。ユーザーは操作部５を操作して指示を入力することで、画像形成装置１００の各種の設定を行い、画像形成等の各種機能を実行させる。操作パネル５１は、操作入力を受け付ける各種操作キーを表示する表示部と、表示部の表示面に設けられ、操作者の指先やスタイラス等の押圧による入力を検知し、入力が検知された位置に対応する信号を出力することで、表示部に表示された操作キーへの操作を受け付けるタッチパネルとを備えている。操作ボタン５２としては、画像形成を開始するようにユーザーが指示するスタートボタン、画像形成を中止する際等に使用するストップ／クリアボタン、画像形成装置１００の各種設定をデフォルト状態にする際に使用するリセットボタン、テンキー等が設けられている。
【００１３】
原稿読取部１２０は、スキャナー１２１と、プラテンガラス１２２と、原稿読取スリット１２３とを備えている。スキャナー１２１は、露光ランプ及びＣＣＤ（Charge Coupled Device）センサー等から構成され、原稿給送部１３０による原稿ＭＳの搬送方向に移動可能に構成されている。プラテンガラス１２２は、ガラス等の透明部材により構成された原稿台である。原稿読取スリット１２３は、原稿給送部１３０による原稿ＭＳの搬送方向と直交方向に形成されたスリットを有する。
【００１４】
原稿給送部１３０は、可倒式に構成され、原稿給送部１３０を上方に持ち上げることで、プラテンガラス１２２の上面を開放させ、原稿ＭＳをプラテンガラス１２２に載置することができる。プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データを取得する。
【００１５】
また、原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の原稿読取スリット１２３に対向する位置へ搬送され、その後、原稿排出部１３２に排出される。原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データを取得する。
【００１６】
記録部１４０は、画像形成部１５０を備えると共に、給紙部１６０と、搬送路１７０と、搬送ローラー１８１と、排出ローラー１８２と、画像形成装置１００の胴内排出空間に設けられた胴内排出トレイ１９０とを備えている。
【００１７】
給紙部１６０は、記録紙Ｐを収納する複数の給紙カセット１６１ａ〜ｄと、給紙カセット１６１ａ〜ｄから記録紙Ｐを１枚ずつ搬送路１７０に繰り出す給紙ローラー１６２とを備えている。給紙ローラー１６２、搬送ローラー１８１及び排出ローラー１８２が搬送部として機能し、記録紙Ｐが搬送される。給紙ローラー１６２によって搬送路１７０に繰り出された記録紙Ｐは、搬送ローラー１８１によって画像形成部１５０に搬送される。そして、画像形成部１５０によって記録が施された記録紙Ｐは、排出ローラー１８２に導かれて胴内排出トレイ１９０に印刷物として出力される。なお、本実施の形態では、４個の給紙カセット１６１ａ〜ｄが備えられている。
【００１８】
画像形成部１５０は、感光体ドラム１５１と、帯電部１５２と、露光部１５３と、現像部１５４と、転写部１５５と、クリーニング部１５６と、定着部１５７とを備えている。露光部１５３は、レーザー装置やミラー等を備えた光学ユニットであり、画像データに基づいてレーザー光を出力して、帯電部１５２によって帯電された感光体ドラム１５１を露光し、感光体ドラム１５１の表面に静電潜像を形成する。現像部１５４は、トナーを用いて感光体ドラム１５１に形成された静電潜像を現像する現像ユニットであり、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００１９】
図２には、画像形成装置１００の概略構成を示すブロック図が示されている。上述の操作部５、原稿読取部１２０、原稿給送部１３０、画像形成部１５０及び搬送部（給紙ローラー１６２、搬送ローラー１８１、排出ローラー１８２）は、制御部１に接続され、制御部１によって動作制御される。また、制御部１には、記憶部２と、画像処理部３と人感センサー４が接続されている。
【００２０】
記憶部２は、原稿読取部１２０によって原稿を読み取ることで取得された画像データが記憶される、半導体メモリやＨＤＤ（Hard Disk Drive）等の記憶手段である。また、記憶部２には、ＩＤとＰＷ（パスワード）とがユーザー毎に関連付けられたユーザー情報２１として記憶されている。
【００２１】
画像処理部３は、画像データに対して所定の画像処理を行う手段であり、例えば、拡大縮小処理や、濃度調整、階調調整等の画像改善処理が行われる。
【００２２】
人感センサー４は、画像形成装置１００の手前にユーザーがいるか否かを検出する機能を有する。
【００２３】
制御部１は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１は、ＲＯＭに記憶されている制御プログラムを読み出し、制御プログラムをＲＡＭに展開させることで、操作部５から入力された所定の指示情報に応じて装置全体の制御を行う。また、制御部１は、操作部５を介して入力されるユーザーのＩＤとＰＷに基づいてユーザー認証を行う認証部１１として機能する。
【００２４】
例えば、図３は操作部５の操作パネル５１に表示されるログイン画面８１である。ログイン画面８１には、ＩＤ表示領域８１ａとＰＷ表示領域８１ｂとＯＫボタン８１ｃとが設けられている。ＩＤ表示領域８１ａは、入力されたＩＤが表示される。また、ＰＷ表示領域８１ｂは、入力されたＰＷが、例えば「＊」等の記号やモザイク等により認識できない状態で表示される。
【００２５】
図４に示すように、矩形形状のＰＷ表示領域８１ｂの周囲には、ＰＷ周囲領域８１ｄが設けられている。ＰＷ周囲領域８１ｄは、ＰＷ表示領域８１ｂの周囲を手で囲ったときに、他人の目からＰＷ表示領域８１ｂに表示されているＰＷが隠れるように領域範囲が設定されている。認証部１１は、ユーザーによってＰＷ周囲領域８１ｄが押されて形成される押圧領域８１ｅが、ＰＷ表示領域８１ｂの上辺と上辺に隣り合う辺の少なくとも１つに沿っているときに、ＰＷ表示領域８１ｄに沿って押されたと判定する。
【００２６】
ＰＷ表示領域８１ｂの周囲が押されたことが操作パネル５１を介して検出されると、ＰＷ表示領域８１ｂに表示されているＰＷの表示状態が認識不可能な状態から認識可能な状態に変化して、入力されたＰＷそのものが表示される。ＯＫボタン８１ｃが押されて入力されたＩＤ及びＰＷが確定すると、認証部１１は、入力されたＩＤ及びＰＷを、ユーザー情報２１のＩＤ及びＰＷと照合して、一致した場合に、ＩＤに対応するユーザーの画像形成装置１００へのログインを受け付ける。
【００２７】
具体的に、図５を参照して、画像形成装置１００のログイン処理の流れを説明する。なお、以下では、入力されたＰＷは、認識不可能な表示状態として、「＊」でＰＷ表示領域８１ｂに表示されるものとして説明する。
【００２８】
まず、認証部１１は、ＩＤ入力がされたか判定し（ステップｓ１１）、ＩＤ入力がされると（ステップｓ１１でＹｅｓ）、入力されたＩＤをＩＤ表示領域８１ａに表示する（ステップｓ１２）。ＩＤ入力でなければ（ステップｓ１１でＮｏ）、ステップｓ１３の処理が行われる。
【００２９】
つづいて、認証部１１は、ＰＷ入力がされたか判定し（ステップｓ１３）、ＰＷ入力であれば（ステップｓ１３でＹｅｓ）、入力されたＰＷを「＊」でＰＷ表示領域８１ｂに表示する（ステップｓ１４）。ＰＷ入力でなければ（ステップｓ１３でＮｏ）、ステップｓ１５の処理が行われる。
【００３０】
つづいて、認証部１１は、ＰＷ表示領域８１ｂの周囲に設けられたＰＷ周囲領域８１ｄが押されたか判定し（ステップｓ１５）、ＰＷ周囲領域８１ｄが押されると（ステップｓ１５でＹｅｓ）、ＰＷ表示領域８１ｄに沿って押されたか判定する（ステップｓ１６）。
【００３１】
ＰＷ表示領域８１ｂに沿って押された場合（ステップｓ１６でＹｅｓ）、認証部１１は、押圧領域８１ｅが所定サイズ以上あるか判定する（ステップｓ１７）。認証部１１は、押圧領域８１ｅのサイズを測定し、ＰＷ表示領域８１ｂの長手方向にＬ１以上の長さがあり、ＰＷ表示領域８１ｂの短手方向にＬ２以上の長さがあるときに、押圧領域８１ｅが所定サイズ以上であると判定する。この場合、手のひらと指で略９０°を作るようにした状態で、ＰＷ表示領域８１ｂの上辺と上辺に隣り合う辺とに沿って手の側面をＰＷ周囲領域８１ｄに押し当てると、押圧領域８１ｅのサイズがＬ１以上Ｌ２以上となるように設定されている。
【００３２】
ＰＷ表示領域８１ｂに沿って押されていない場合と、押圧領域８１ｅが所定サイズ以上でない場合（ステップｓ１６でＮｏ、ステップｓ１７でＮｏ）、認証部１１は、ＰＷ周囲領域８１ｄが押されたか判定する処理に戻る（ステップｓ１５）。押圧領域８１ｅが所定サイズ以上である場合（ステップｓ１７でＹｅｓ）、認証部１１は、「＊」で表示されていたＰＷを入力されたＰＷそのものに変えて表示する（ステップｓ１８）。押圧が解除されるまで（ステップｓ１９でＮｏ）、入力されたＰＷそのものがＰＷ表示領域８１ｂに表示される（ステップｓ１８）。押圧が解除されると（ステップｓ１９でＹｅｓ）、認証部１１は、入力されたＰＷを再び「＊」で隠して認識不可能な状態で表示する（ステップｓ２０）。
【００３３】
なお、両手の手のひらと指で略９０°を作るようにして手の側面をＰＷ周囲領域８１ｄに押しつけた場合に、入力されたＰＷが表示されるようにすることで、より機密性を向上させることができる。この場合、押圧領域８１ｅが２つ形成され、認証部１１は、形成された押圧領域８１ｅのそれぞれがＬ１以上Ｌ２以上である場合に、入力されたＰＷを表示すればよい。
【００３４】
つづいて、認証部１１は、ＩＤ及びＰＷの入力が確定したか（ＯＫボタン８１ｃが押されたか）判定する（ステップｓ２１）。なお、上記でＰＷ周囲領域８１ｄが押圧されていないと判定された場合も（ステップｓ１５でＮｏ）、ＩＤ及びＰＷの入力が確定したか判定する処理が行われる（ステップｓ２１）。ＩＤ及びＰＷの入力が確定していない場合（ステップｓ２１でＮｏ）、ステップｓ１１に処理が戻る。
【００３５】
ＯＫボタン８１ｃが押されてＩＤ及びＰＷの入力が確定すると（ステップｓ２１でＹｅｓ）、認証部１１は、入力されたＩＤ及びＰＷを記憶部２に記憶されたユーザー情報２１のＩＤ及びＰＷと照合する（ステップｓ２２）。照合結果が一致していれば（ステップｓ２３でＹｅｓ）、認証部１１は、そのＩＤに対応するユーザーのログイン処理を行って（ステップｓ２４）、本処理を終了する。
【００３６】
照合結果が一致しなかった場合（ステップｓ２３でＮｏ）、認証部１１は、操作部５などを介して認証に失敗した旨をユーザーに通知し（ステップｓ２５）、人感センサー４を介してユーザーが離れたか判定する（ステップｓ２６）。ユーザーが離れた場合（ステップｓ２６でＹｅｓ）、認証部１１は、ＩＤ表示領域８１ａに表示されているＩＤとＰＷ表示領域８１ｂに表示されているＰＷをクリアして（ステップｓ２７）、本処理を終了する。
【００３７】
一方、ユーザーが離れていない場合（ステップｓ２６でＮｏ）、認証部１１は、所定時間ＩＤとＰＷを表示したままにしておく（ステップｓ２８）。認証部１１は、所定時間が経過していないうちに（ステップｓ２９でＮｏ）、ＰＷ周囲領域８１ｄが押されたか判定する（ステップｓ３０）。
【００３８】
なお、通常、ＩＤとＰＷの入力が確定すると、ＩＤ表示領域８１ａに表示されていたＩＤとＰＷ表示領域８１ｂに表示されていたＰＷはクリアされる。しかし、それだと、認証に失敗した場合に、ＰＷの打ち間違いなどの入力ミスが原因で失敗したのか、打ち間違いではなくＰＷそのものを勘違いして失敗したのか、原因を特定できない。そのため、本実施形態では、ユーザーがＰＷとして何を入力して認証に失敗したのかを確認できるように、ＩＤとＰＷを所定時間表示したままにしておく。
【００３９】
所定時間内にＰＷ周囲領域８１ｄが押された場合（ステップｓ３０でＹｅｓ）、認証部１１は、ＰＷ表示領域８１ｂに沿って押されたか判定する（ステップｓ３１）。ＰＷ表示領域８１ｂに沿って押された場合（ステップｓ３１でＹｅｓ）、認証部１１は、押圧領域８１ｅが所定サイズ以上であるか（例えば、ＰＷ表示領域８１ｂの長手方向にＬ１以上の長さがあり、ＰＷ表示領域８１ｂの短手方向にＬ２以上の長さがあるか）判定する（ステップｓ３２）。押圧領域８１ｅが所定サイズ以上ある場合（ステップｓ３２でＹｅｓ）、認証部１１は、入力されたＰＷをＰＷ表示領域８１ｂに表示する（ステップｓ３３）。押圧が解除されるまで（ステップｓ３４でＮｏ）、入力されたＰＷがＰＷ表示領域８１ｂに表示される（ステップｓ３３）。押圧が解除されると（ステップｓ３４でＹｅｓ）、認証部１１は、入力されたＰＷを再び「＊」で隠して認識不可能な状態で表示し（ステップｓ３５）、ステップｓ２９に処理を戻す。
【００４０】
なお、ＰＷ周囲領域８１ｄが押されていない場合とＰＷ表示領域８１ｂに沿って押されていない場合と押圧領域８１ｅが所定サイズ以上ない場合とには（ステップｓ３０でＮｏ、ステップｓ３１でＮｏ、ステップｓ３２でＮｏ）、ステップｓ２９に処理が戻る。
【００４１】
所定時間が経過すると（ステップｓ２９でＹｅｓ）、認証部１１は、ＩＤ表示領域８１ａに表示されているＩＤとＰＷ表示領域８１ｂに表示されているＰＷをクリアして（ステップｓ２７）、本処理を終了する。
【００４２】
これにより、図６（ａ）に示すようにＰＷが「＊」で表示されている場合、ユーザーは、図６（ｂ）に示すように、ＰＷ表示領域８１ｂが他人から見られないようにＰＷ周囲領域８１ｄに手を当てて隠すことで、機密性を保った状態で簡単に、入力したＰＷそのものを表示させることができる。ユーザーが、入力したＰＷを確認したあとでＰＷ周囲領域８１ｄから手を離すと、図６（ａ）に示すように、ＰＷは「＊」で隠された認識不可能な状態の表示に戻る。
【００４３】
以上説明したように、本実施形態では、ＰＷ表示領域８１ｂを隠すようにＰＷ表示領域８１ｂに沿ってＰＷ周囲領域８１ｄが押されると、押されている間、「＊」ではなく、入力されたＰＷそのものがＰＷ表示領域８１ｂに表示される。そのため、本実施形態によれば、機密性を保った状態で簡単にＰＷに何を入力したのか確認することができる。
【００４４】
本発明は上述した実施の形態に限定されるものではなく、本発明の趣旨を逸脱しない範囲で種々様々に変更が可能であることは言うまでもない。
【００４５】
例えば、図７（ａ）、図７（ｂ）に示すように、手を略９０°に曲げなくても、ＰＷ表示領域８１ｂを隠すように手がＰＷ周囲領域８１ｄに当てられていれば、入力されたＰＷを表示するようにしてもよい。図７（ａ）、図７（ｂ）の場合、ＰＷ表示領域８１ｂの対向する２辺に沿って手の側面が直線上にＰＷ周囲領域８１ｄに押し当てられて形成された押圧領域のそれぞれが所定長以上である場合に、入力されたＰＷが表示される。また、片手を略９０°に曲げて、反対の手を直線状に伸ばした状態の両手がＰＷ周囲領域８１ｄに当てられている場合に、入力されたＰＷが表示されてもよい。この場合、認証部１１は、一方の押圧領域がＰＷ表示領域８１ｂの上辺と上辺に隣り合う一方の辺に沿って所定サイズ以上形成され、他方の押圧領域がＰＷ表示領域８１ｂの下辺、又はＰＷ表示領域８１ｂの上辺に隣り合う他方の辺に所定サイズ以上形成されている場合に、入力されたＰＷを表示するようにすればよい。
【００４６】
また、認証に失敗した場合、ユーザーが離れたか否かにかかわらず、単に、ユーザー同士が入れ替わることができない程度の時間（例えば５秒など）だけ、ＩＤ表示領域８１ａのＩＤとＰＷ表示領域８１ｂのＰＷとを表示したままにしておいてもよい。この場合、人感センサー４を不要にすることができる。
【符号の説明】
【００４７】
１  制御部
２  記憶部
３  画像処理部
４  人感センサー
５  操作部
１１  認証部
２１  ユーザー情報
５１  操作パネル
５２  操作ボタン
８１  ログイン画面
８１ａ  ＩＤ表示領域
８１ｂ  ＰＷ表示領域
８１ｃ  ＯＫボタン
８１ｄ  ＰＷ周囲領域
８１ｅ  押圧領域
９０  手
１００  画像形成装置
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１７０  搬送路
１８１  搬送ローラー
１８２  排出ローラー
１９０  胴内排出トレイ
【図１】
0005960114.tif 000002
【図２】
0005960114.tif 000003
【図３】
0005960114.tif 000004
【図４】
0005960114.tif 000005
【図５】
0005960114.tif 000006
【図６】
0005960114.tif 000007
【図７】
0005960114.tif 000008